(57)【要約】【課題】電池収納構造に於て、電池収納空間を形成する両端壁部外方の陰極端子回動スペースを不要にして、電池収納構造の小型化を図る。【解決手段】本発明は電池収納空間４を形成する両端壁部（左右壁部６，７）に乾電池２，３の陽極２ａ，３ａと接する陽極端子１３，１９と、陰極２ｂ，３ｂと接する陰極端子２３，２４とを夫々備え、該陰極端子２３，２４は両端にコイルバネ２６，２６を有し中央部に突設部２５を有するトーションバネで形成されて成る電池収納構造２２に於て、前記陰極端子２３，２４の前記突設部２５を側面視くの字状に屈曲させて形成し、且つ、該屈曲部２５ａの角度を鈍角に形成し、該陰極端子２３，２４の前記両端壁部外方への回動を規制するように構成した電池収納構造を提供する。【選択図】　図１
2004071509.tif 000002
【特許請求の範囲】
【請求項１】
電池収納空間を形成する両端壁部に乾電池の陽極と接する陽極端子と、陰極と接する回動自在の陰極端子とを夫々備え、該陰極端子は両端にコイルバネを有し中央部に突設部を有するトーションバネで形成されて成る電池収納構造に於て、前記陰極端子の前記突設部を側面視くの字状に屈曲させて形成し、且つ、該屈曲部の角度を鈍角に形成し、該陰極端子の前記両端壁部外方への回動を規制するように構成したことを特徴とする電池収納構造。
【請求項２】
電池収納空間を形成する両端壁部に乾電池の陽極と接する陽極端子と、陰極と接する回動自在の陰極端子とを夫々備え、該陰極端子は両端にコイルバネを有し中央部に突設部を有するトーションバネで形成されて成る電池収納構造に於て、前記陰極端子の前記突設部を側面視くの字状に屈曲させて形成し、且つ、該屈曲部の角度を鈍角に形成し、該陰極端子の前記両端壁部外方への回動を規制するように構成し、更に、前記電池収納空間を形成する底部の前記陰極端子近傍に、該陰極端子の突設部先端部を係止するための突片を形成し、乾電池が収納されていない状態で該突設部先端部が該突片に係止されるように構成したことを特徴とする電池収納構造。
【発明の詳細な説明】
【０００１】
【発明の属する技術分野】
この発明は、電池収納構造に関するものであり、特に、コントローラ等に形成される電池収納構造に於て、トーションバネから成る陰極端子部の突出部先端部が回動することにより電池収納空間を形成する両端壁部の外方に突出することを防止し、電池収納構造の小型化を図った電池収納構造に関するものである。
【０００２】
【従来の技術】
従来の此種電池収納構造を図５乃至図８に従って説明する。図５乃至図７に於て、１はゲーム機のコントローラ等を構成する一体型の樹脂から成る機器本体であり、該機器本体１に単３形の２つの乾電池２，３を直列接続すべく、並列方向に、且つ、逆向きに収納する凹形状の電池収納空間４が形成され、該電池収納空間４を構成する底部５と、前記乾電池２，３の電極２ａ，２ｂ，３ａ，３ｂと対峙する左右壁部６，７と、乾電池２，３の側部と対峙する前後壁部８，９と、該電池収納空間４の開口部４ａに着脱自在に取り付けられ該開口部４ａを閉塞する蓋体１０とによって電池収納構造１１が構成されている。
【０００３】
更に、前記乾電池２の陽極２ａ側の左壁部６には該乾電池２の陽極２ａと対峙する略平板状の金具１２が該左壁部６の下方に開穿された孔（図示せず）から挿入されて係止され、該金具１２には凸状の陽極端子１３が右方に突設され、該陽極端子１３に前記乾電池２の陽極２ａが接触するように構成されている。
【０００４】
又、前記乾電池２の陰極２ｂ側及び前記乾電池３の陽極３ａ側の右壁部７には該乾電池２の陰極２ｂ及び該乾電池３の陽極３ａと対峙する略平板状の金具１４が該右壁部７左側部の両端及び中央部に立設する如く形成された係合部７ａ，７ａ，７ａに上方から挿入されて係止され、該金具１４の前記乾電池２の陰極２ｂ側には、トーションバネで形成された陰極端子１５が係止され、該陰極端子１５は中央部に突設部１６が形成され、該突設部１６の両端にコイルバネ１７，１７が形成され、該コイルバネ１７，１７の外方に所定長さの線条の係止部１８，１８が延びており、該係止部１８，１８が前記金具１４に係止されている。
【０００５】
更に、前記突設部１６は左方に突設する如く側面視台形形状に屈曲されて前記乾電池２の陰極２ａと接触する接触部１６ａが形成され、該突設部１６の先端部１６ｂは前記金具１４の下部に垂設された長方形状の突片１４ａの右側面に係止するように構成されている。
【０００６】
又、該金具１４の前記乾電池３の陽極３ａ側には、凸状の陽極端子１９が左方に突設され、該陽極端子１９に前記乾電池３の陽極３ａが接触するように構成されている。
【０００７】
更に、前記乾電池３の陰極３ｂ側の左壁部６には該乾電池３の陰極３ｂと対峙する略平板状の金具２０が下方に形成された穴（図示せず）から挿入されて係止され、該金具２０には、前記陰極端子１５と同形状の陰極端子２１が該陰極端子２１の接触部（図示せず）を前記乾電池３の陰極３ｂと接触させるべく右方に突出させて係止されている。
【０００８】
而して、前記乾電池２を前記電池収納空間４内に収納する時は、前記蓋体１０を取り除き、該乾電池２の陽極２ａ側を前記陽極端子１３側に向け、該乾電池２の陰極２ｂ側を前記陰極端子１５側に向けて該乾電池２の陰極２ｂ側を先に挿入し、且つ、該陰極２ｂを前記陰極端子１５側に押付けながら該乾電池２の陽極２ａ側を挿入すると該乾電池２は前記電池収納空間４内に円滑に収納される。その時、前記陰極端子１５の突設部１６は、図８に示す如く、該突設部１６の基端部１６ｃを支点として図に於て反時計回りに回動して該突設部１６の先端部１６ｂが前記突片１４ａから離間して更に右方へ回動する。
【０００９】
或いは、前記乾電池２の陽極２ａ側を先に挿入し、次に、該乾電池２の陰極２ｂを挿入すると、該陰極２ｂが前記陰極端子１５の接触部１６ａに接触し該接触部１６ａを右方に押しながら同様に挿入される。即ち、陰極２ｂ、陽極２ａのいずれを先に挿入しても同様に円滑に収納される。
【００１０】
そして、前記乾電池３を前記電池収納空間４内に収納する時も向きを代えて前記乾電池２同様に収納できる。
【００１１】
【発明が解決しようとする課題】
上記従来例の電池収納構造は乾電池を挿入した時、トーションバネから成る陰極端子が乾電池の陰極に押されて回動することにより、乾電池が円滑に収納される。そして、該陰極端子の構造は、陽極側を先に挿入しても、該陰極端子が回動することにより、乾電池の陰極側が円滑に挿入でき、該陰極端子が破損することもない。
【００１２】
然しながら、前記陰極端子は前記乾電池が挿入された時、該陰極端子の先端部が左右壁部の外方に回動するため、該左右壁部の外方に該陰極端子の先端部が回動するためのスペースを確保する必要がある。そのため、前記陰極端子を用いる場合、該スペースを確保することが前記電池収納構造の小型化の障害になっている。
【００１３】
そこで、電池収納構造に於て、電池収納空間を形成する両端壁部外方の陰極端子回動スペースを不要にして、電池収納構造の小型化を図るために解決すべき技術的課題が生じてくるのであり、本発明はこの課題を解決することを目的とする。
【００１４】
【課題を解決するための手段】
本発明は上記目的を達成するために提案されたものであり、電池収納空間を形成する両端壁部に乾電池の陽極と接する陽極端子と、陰極と接する回動自在の陰極端子とを夫々備え、該陰極端子は両端にコイルバネを有し中央部に突設部を有するトーションバネで形成されて成る電池収納構造に於て、前記陰極端子の前記突設部を側面視くの字状に屈曲させて形成し、且つ、該屈曲部の角度を鈍角に形成し、該陰極端子の前記両端壁部外方への回動を規制するように構成した電池収納構造、
及び、電池収納空間を形成する両端壁部に乾電池の陽極と接する陽極端子と、陰極と接する回動自在の陰極端子とを夫々備え、該陰極端子は両端にコイルバネを有し中央部に突設部を有するトーションバネで形成されて成る電池収納構造に於て、前記陰極端子の前記突設部を側面視くの字状に屈曲させて形成し、且つ、該屈曲部の角度を鈍角に形成し、該陰極端子の前記両端壁部外方への回動を規制するように構成し、更に、前記電池収納空間を形成する底部の前記陰極端子近傍に、該陰極端子の突設部先端部を係止するための突片を形成し、乾電池が収納されていない状態で該突設部先端部が該突片に係止されるように構成した電池収納構造を提供するものである。
【００１５】
【発明の実施の形態】
以下、本発明の一実施の形態を図１乃至図４に従って詳述する。尚、説明の都合上、従来例と同一構成部分については同一符号を付してその説明を省略する。
【００１６】
図１乃至図３に於いて、２２は電池収納構造であり、該電池収納構造２２は従来例の陰極端子（図５に於て１５及び２１）に代えて後述する陰極端子２３及び２４を用いるものであり、該陰極端子２３，２４は同形状を有するため陰極端子２３について説明すると、該陰極端子２３は、中央部に線条のＵ字形突設部２５が突設され、該突設部２５の両端にコイルばね２６，２６が形成され、該コイルバネ２６，２６の両端に所定長さの線条の係止部２７，２７が延びており、該係止部２７が金具１４に係止されている。
【００１７】
更に、前記突設部２５は左方に突設する如く側面視くの字状に折曲され、且つ、該折曲部２５ａを鈍角に折曲され、該突設部２５の先端部２５ｂは前記電池収納構造２２の底部５に形成された孔５ａの下方に延びている。
【００１８】
そして、該孔５ａの周縁部には長方形状の突片５ｂが右方に突設する如く形成されており、乾電池２が収納されない状態で、前記突設部２５の先端部２５ｂが該突片５ｂに係止され、該突設部２５が保持されるように構成されている。
【００１９】
一方、前記陰極端子２４も前記陰極端子２３と同様に形成されると共に、該陰極端子２４近傍の底部５の孔（図示せず）の周縁部にも前記突片５ｂ同様の突片（図示せず）が形成されている。
【００２０】
而して、前記乾電池２を前記電池収納空間４内に収納する時は、前記蓋体１０を取り除き、該乾電池２の陽極２ａ側を前記陽極端子１３側に向け、該乾電池２の陰極２ｂ側を前記陰極端子２３側に向けて、該乾電池２の陰極２ｂ側を先に挿入し、且つ、該陰極２ｂを前記陰極端子２３側に押付けながら該乾電池２の陽極２ａ側を挿入すると該乾電池２は前記電池収納空間４内に収納される。その時、前記陰極端子２３の突設部２５は、図４に示す如く、該突設部２５の基端部２５ｃを支点として図に於て反時計回りに回動して該突設部２５の先端部２５ｂが前記突片５ｂから離間して右方へ回動するが該突設部２５の前述した形状により該先端部２５ａは前記右壁部７よりも右方に回動することはない。
【００２１】
或いは、前記乾電池２の陽極２ａ側を先に挿入し、次に、陰極２ｂを挿入した場合も、該陰極２ｂの挿入動作により前記突設部２５は、該突設部２５の基端部２５ｃを支点として図に於て反時計回りに回動し、乾電池２は円滑に収納される。そして、この時、該突設部２５の先端部２５ａが前記突片５ｂから離間して右方へ回動するが該先端部２５ｂは前記右壁部７よりも右方に回動することはない。即ち、前記陰極端子２３を用いた構成に於て、陰極２ｂ、陽極２ａのいずれを先に挿入しても同様に円滑に収納される。
【００２２】
又、前記乾電池３を前記電池収納空間４内に収納する時も向きを代えて前記乾電池２同様に収納できる。そして、該乾電池３の収納時の陰極３ｂの挿入動作により前記陰極端子２４の突設部（図示せず）の先端部（図示せず）が左方へ回動するが該先端部は左壁部６よりも左方に回動することはない。
【００２３】
斯くして、乾電池２，３を収納した時、前記陰極端子２３，２４の突設部の先端部は前記左右壁部６，７よりも外側に回動しないため、該左右壁部６，７の外方に前記陰極端子２３，２４の回動スペースを設ける必要がなく、電池収納構造の小型化を図ることができる。
【００２４】
尚、本発明は、本発明の精神を逸脱しない限り種々の改変を為すことができ、そして、本発明が該改変されたものに及ぶことは当然である。
【００２５】
【発明の効果】
本発明は上記一実施の形態に詳述したように、請求項１記載の発明は陰極端子がトーションバネで形成されて成る電池収納構造に於て、前記陰極端子の突設部を側面視くの字状に屈曲させて形成し、且つ、該屈曲部の角度を鈍角に形成し、該陰極端子の電池収納空間両端壁部外方への回動を規制するように構成したので、該両端壁部の外方に前記陰極端子の回動スペースを設ける必要がなく、電池収納構造の小型化を図ることができる。
【００２６】
又、請求項２記載の発明は、陰極端子がトーションバネで形成されて成る電池収納構造に於て、前記陰極端子の突設部を側面視くの字状に屈曲させて形成し、且つ、該屈曲部の角度を鈍角に形成し、該陰極端子の電池収納空間両端壁部外方への回動を規制するように構成し、更に、前記電池収納空間を形成する底部の前記陰極端子近傍に、該陰極端子の突設部先端部を係止するための突片を形成し、乾電池が収納されていない状態で該突設部先端部が該突片に係止されるように構成したため、請求項１記載の発明の効果に加え、乾電池が収納されていない状態で該突設部先端部が確実に前記突片に係止されて、前記陰極端子が安定して保持されると共に、これによって乾電池の収納も容易である等、正に著大なる効果を奏する発明である。
【図面の簡単な説明】
【図１】本発明の一実施の形態を示し、電池収納構造の分解斜視図。
【図２】図１に示す陽極端子と陰極端子の配置を示す平面図。
【図３】図１に示す電池収納構造の縦断面図。
【図４】（ａ）〜（ｃ）図１に示す電池収納構造に於て、電池が挿入される際の陰極端子の姿勢変化を示す一部切欠縦断面図。
【図５】従来例を示し、電池収納構造の分解斜視図。
【図６】図５に示す陽極端子と陰極端子の配置を示す平面図。
【図７】図５に示す電池収納構造の縦断面図。
【図８】（ａ）〜（ｃ）図５に示す電池収納構造に於て、電池が挿入される際の陰極端子の姿勢変化を示す一部切欠縦断面図。
【符号の説明】
２，３　　　乾電池
４　　　　　電池収納空間
５　　　　　底部
５ｂ　　　　突片
１３，１９　　陽極端子
２２　　　　　電池収納構造
２３，２４　　陰極端子
２５　　　　　突設部
２５ａ　　　　屈曲部
２５ｂ　　　　先端部
２６　　　　　コイルバネ
【図１】
2004071509.tif 000003
【図２】
2004071509.tif 000004
【図３】
2004071509.tif 000005
【図４】
2004071509.tif 000006
【図５】
2004071509.tif 000007
【図６】
2004071509.tif 000008
【図７】
2004071509.tif 000009
【図８】
2004071509.tif 000010